(57)【要約】【課題】本発明は、ＳＯＮＥＴ／ＳＤＨレベルのリング切り替えとＲＰＲレベルのリング切り替えをそれぞれ独立に行うことができる伝送装置を提供することを目的とする。【解決手段】光伝送路に接続されたアグリゲート側インタフェース手段と、アグリゲート側インタフェース手段から供給される同期デジタル信号のクロスコネクトを行う同期デジタル信号クロスコネクト手段と、同期デジタル信号クロスコネクト手段から供給される同期デジタル信号をネットワーク信号単位でスイッチングするネットワーク信号処理手段を有することにより、同期デジタル信号クロスコネクト手段によるＳＯＮＥＴ／ＳＤＨレベルのリング切り替えと、ネットワーク信号処理手段でＲＰＲレベルのリング切り替えをそれぞれ独立に行うことができる。【選択図】    図５
2004236205.tif 000002
【特許請求の範囲】
【請求項１】
光伝送路に接続されたアグリゲート側インタフェース手段と、
前記アグリゲート側インタフェース手段から供給される同期デジタル信号のクロスコネクトを行う同期デジタル信号クロスコネクト手段と、
前記同期デジタル信号クロスコネクト手段から供給される同期デジタル信号をネットワーク信号単位でスイッチングするネットワーク信号処理手段を
有することを特徴とする伝送装置。
【請求項２】
請求項１記載の伝送装置において、
前記ネットワーク信号処理手段は、前記同期デジタル信号クロスコネクト手段から供給される同期デジタル信号からネットワーク信号を抽出するネットワーク信号抽出手段と、
抽出されたネットワーク信号のスイッチングを行うネットワーク信号スイッチング手段と、
前記ネットワーク信号スイッチング手段でスイッチングされたネットワーク信号を同期デジタル信号にマッピングして前記同期デジタル信号クロスコネクト手段に供給するマッピング手段を
有することを特徴とする伝送装置。
【請求項３】
請求項１または２記載の伝送装置において、
前記同期デジタル信号クロスコネクト手段と接続されると共に、非同期デジタル信号またはネットワーク信号とのインタフェースをとるトリビュータリ側インタフェース手段を
有することを特徴とする伝送装置。
【請求項４】
請求項２記載の伝送装置において、
前記ネットワーク信号処理手段は、前記ネットワーク信号スイッチング手段からのネットワーク信号を外部にドロップし、または、外部からのネットワーク信号を前記ネットワーク信号スイッチング手段にアッドするアッド／ドロップ手段を
有することを特徴とする伝送装置。
【請求項５】
請求項２記載の伝送装置において、
前記ネットワーク信号処理手段は、前記同期デジタル信号クロスコネクト手段から供給される同期デジタル信号の流量を監視し調整する流量監視調整手段を
有することを特徴とする伝送装置。
【発明の詳細な説明】
【０００１】
【発明の属する技術分野】
本発明は、ハイブリッド伝送装置に関し、特に、ＳＯＮＥＴ装置とＳＤＨ装置間で同期を確立するハイブリッド伝送装置に関する。
【０００２】
【従来の技術】
ＳＤＨ（Ｓｙｎｃｈｒｏｎｏｕｓ  Ｄｉｇｉｔａｌ  Ｈｉｅｒａｒｃｈｙ）またはＳＯＮＥＴ（Ｓｙｎｃｈｒｏｎｏｕｓ  Ｏｐｔｉｃａｌ  Ｎｅｔｗｏｒｋ）のネットワークを構成する伝送装置（ＳＯＮＥＴ／ＳＤＨ装置）は、従来、ＳＯＮＥＴ／ＳＤＨフレームのオーバーヘッドを監視、終端、挿入することにより、ＳＯＮＥＴ／ＳＤＨのレイヤでのみ、回線障害時のリング切り替え等を含む網管理を行っている。
【０００３】
ＷＤＭ（Ｗａｖｅｌｅｎｇｔｈ  Ｄｉｖｉｓｉｏｎ  Ｍｕｌｔｉｐｌｅｘｅｒ：波長分割多重）網においても、ＷＤＭのレイヤのみ網管理していた。また、ＩＰ（Ｉｎｔｅｒｎｅｔ  Ｐｒｏｔｏｃｏｌ）ネットワークでは、ＩＰパケットをスイッチするルータ・ルータ間のみ、即ち、ＴＣＰ／ＩＰのレイヤでしか、網管理ができなかった。
【０００４】
そこで、近年、ＩＰ網と光網を統一的に網管理することを目的として、ＩＥＥＥ（米国電気電子技術者協会）にてＬＡＮにおけるリング切り替えを行う機能を持つＲＰＲ（Ｒｅｓｉｌｉｅｎｔ  Ｐａｃｋｅｔ  Ｒｉｎｇ）について標準化に向けて議論がされている。また、ＲＰＲのピアモデルとして各種の装置や構想が提案されている（例えば特許文献１参照）。
【０００５】
図１は、従来のＲＰＲ機能を持つ伝送装置の一例のブロック図を示す。同図中、受信部１Ｗ，１Ｅ及び送信部２Ｗ，２ＥはＬＡＮの光伝送路に接続されており、受信部１Ｗ，１Ｅそれぞれの受信信号はＣＡＭ（Ｃｏｎｔｅｎｔ  Ａｄｄｒｅｓｓａｂｌｅ  Ｍｅｍｏｒｙ）３Ｗ，３Ｅのトポロジ情報を参照することによりしてスイッチングエンジン４でルーティングされると共にリング切り替えを行われて送信部２Ｗ，２Ｅに供給され、送信部２Ｗ，２ＥからＬＡＮに送出される。
【０００６】
【特許文献１】
特開２００１−１６０８４０号公報
【０００７】
【発明が解決しようとする課題】
通信事業者は、既存のＷＤＭ装置、ＳＯＮＥＴ／ＳＤＨのＡＤＭ（Ａｄｄ  Ｄｒｏｐ  Ｍｕｌｔｉｐｌｘｅｒ）やクロスコネクト装置、ＡＴＭ（非同期転送モード）ノード等を相当数配備しているが、ＲＰＲ機能を持つルータ等を導入しようとする場合、既存の設備を置き換えなければならない。これには、かなりのコスト負担を通信事業者に強いることになる。既存の装置に一部追加をするだけで統一網管理の目的が達せられればメリットが大きいが、従来、そのような装置構想は提案されていない。また、特にＳＯＮＥＴ／ＳＤＨ装置や、ＯＸＣ（Ｏｐｔｉｃａｌ  Ｃｒｏｓｓ  Ｃｏｎｎｅｃｔ）機能を持たない既存のＷＤＭ装置や、ＯＡＤＭ（光分岐多重）装置をそのままアップグレードすることができれば非常に有効だが、そのような装置は提案されていない。
【０００８】
図１に示す従来の伝送装置は、ＳＯＮＥＴ／ＳＤＨやＷＤＭを含む光網のトポロジ構成を全て集め、ＲＰＲのレイヤで網を一括管理しようというものである。即ち、ＣＡＭ３Ｗ，３Ｅのデータベースに全網のトポロジ情報を格納し、かつ、他の伝送装置ともトポロジ情報をやり取りし、全ての伝送装置のＣＡＭデータベースを統一して運用する必要がある。このため、網が大きい場合にはＣＡＭ３Ｗ，３Ｅのデータベースの容量が重くなり、かつ、他の伝送装置と連携を取らなくてはならないので、スイッチングエンジン４の処理の負担も重くなるという問題があった。
【０００９】
また、ＲＰＲを管理する立場で網管理するとなると、光網の全伝送装置にＲＰＲ機能を付け加えなければ、結局は全網の管理は達成できないので、全伝送装置にＲＰＲを付ける必要が生じ、既存のＳＯＮＥＴ／ＳＤＨ／ＷＤＭの資産をリプレースする必要があるために、通信事業者にとってメリットが小さいという問題があった。
【００１０】
また、ＷＤＭやＳＯＮＥＴ／ＳＤＨのレイヤで起きた障害をＲＰＲで収集して解析し、回線障害の自動切り替えを実行しようとしたとき、既存のＳＯＮＥＴ／ＳＤＨ装置のように、５０ｍｓ秒以内といった短い時間で処理できないおそれがあるという問題があった。
【００１１】
本発明は、上記の点に鑑みなされたものであり、ＳＯＮＥＴ／ＳＤＨレベルのリング切り替えとＲＰＲレベルのリング切り替えをそれぞれ独立に行うことができる伝送装置を提供することを目的とする。
【００１２】
【課題を解決するための手段】
請求項１に記載の発明は、光伝送路に接続されたアグリゲート側インタフェース手段と、前記アグリゲート側インタフェース手段から供給される同期デジタル信号のクロスコネクトを行う同期デジタル信号クロスコネクト手段と、前記同期デジタル信号クロスコネクト手段から供給される同期デジタル信号をネットワーク信号単位でスイッチングするネットワーク信号処理手段を有することにより、
同期デジタル信号クロスコネクト手段によるＳＯＮＥＴ／ＳＤＨレベルのリング切り替えと、ネットワーク信号処理手段でＲＰＲレベルのリング切り替えをそれぞれ独立に行うことができる。
【００１３】
請求項２に記載の発明では、ネットワーク信号処理手段は、前記同期デジタル信号クロスコネクト手段から供給される同期デジタル信号からネットワーク信号を抽出するネットワーク信号抽出手段と、抽出されたネットワーク信号のスイッチングを行うネットワーク信号スイッチング手段と、前記ネットワーク信号スイッチング手段でスイッチングされたネットワーク信号を同期デジタル信号にマッピングして前記同期デジタル信号クロスコネクト手段に供給するマッピング手段を有することにより、ＲＰＲレベルのリング切り替えが可能となる。
【００１４】
請求項３に記載の発明は、同期デジタル信号クロスコネクト手段と接続されると共に、非同期デジタル信号またはネットワーク信号とのインタフェースをとるトリビュータリ側インタフェース手段を有することにより、非同期デジタル信号またはネットワーク信号の接続が可能となり、非同期デジタル信号またはネットワーク信号のアッド／ドロップが可能となる。
【００１５】
請求項４に記載の発明は、ネットワーク信号処理手段は、前記ネットワーク信号スイッチング手段からのネットワーク信号を外部にドロップし、または、外部からのネットワーク信号を前記ネットワーク信号スイッチング手段にアッドするアッド／ドロップ手段を有することにより、ネットワーク信号のアッド／ドロップが可能となる。
【００１６】
請求項５に記載の発明は、ネットワーク信号処理手段は、前記同期デジタル信号クロスコネクト手段から供給される同期デジタル信号の流量を監視し調整する流量監視調整手段を有することにより、ネットワーク信号スイッチング手段の容量を削減できる。
【００１７】
【発明の実施の形態】
以下、本発明の実施例を図面に基づいて説明する。
【００１８】
本発明は、従来のＳＯＮＥＴ／ＳＤＨのＡＤＭまたはクロスコネクトを行う伝送装置に、ＲＰＲに対応した新機能が追加されている。本発明は、ＳＯＮＥＴ／ＳＤＨだけのインタフェースだけでなく、ＰＤＨ（Ｐｌｅｓｉｏｃｈｒｏｎｏｕｓ  Ｄｉｇｉｔａｌ  Ｈｉｅｒａｒｃｈｙ）信号や、ＡＴＭ，ＬＡＮ（本明細暑中のＬＡＮと記載の部分はＷＡＮやＭＡＮを含む）といったネットワーク信号のアッド／ドロップ機能を持つことで極めの細かい、多様なサービスを提供でき、アクセス網、エッジ網に近いネットワークの伝送をサポートすることができる。ＲＰＲに対応したＳＯＮＥＴ／ＳＤＨの伝送装置を実現することにより、網全体を統一的に管理できる。本発明装置の構成を以下に述べる。
【００１９】
図２は、本発明のハイブリッド伝送装置の第１実施例のブロック構成図を示す。同図中、インタフェース部１０Ｗ，１０Ｅでは、４０Ｇｂｐｓ，１０Ｇｂｐｓ，２．５Ｇｂｐｓ，６２２Ｍｂｐｓ（ＯＣ７６８，ＯＣ１９２，ＯＣ４８，ＯＣ１２）等のＳＯＮＥＴ／ＳＤＨの光信号を電気信号に変換し、装置内の基準クロックに信号を同期させたうえで、ＳＯＮＥＴ／ＳＤＨのＳＴＳ−４８（ＳＴＭ１６）／ＳＴＳ−１２（ＳＴＭ４）フォーマットの信号で、ＳＯＮＥＴ／ＳＤＨクロスコネクト部１２とのブロック間インタフェースを取る。
【００２０】
図３（Ａ）にＳＴＳ−１２に準拠したＳＯＨ（Ｓｅｃｔｉｏｎ  Ｏｖｅｒ  Ｈｅａｄ）の構成図を示す。図３（Ｂ）にＳＯＨの各バイトＡ１〜Ｈ３の内容を示す。図３（Ｃ）にコンカチネーション情報であるＥ１バイトの各ビットの内容を示す。
【００２１】
ＳＯＮＥＴ／ＳＤＨクロスコネクト部１２と各インタフェース部１０Ｗ，１０Ｅとの接続は、ＳＯＮＥＴ／ＳＤＨクロスコネクト部１２を中心にそれぞれのインタフェース部１０Ｗ，１０Ｅと行い、ＳＯＮＥＴ／ＳＤＨクロスコネクト部１２で集中管理する。処理容量が多すぎて集中管理が難しい場合には、各インタフェース部１０Ｗ，１０Ｅに機能を分散して、分散処理を行うことも可能である。
【００２２】
ＳＯＮＥＴ／ＳＤＨクロスコネクト部１２では、オーバーヘッド終端・挿入機能を持ち、アラーム処理や回線制御を適宜行うことができる。また、所望のクロスコネクトをしたいオーダーまで信号を多重分離して所望のレベルでクロスコネクトを行う。
【００２３】
ＳＯＮＥＴ／ＳＤＨクロスコネクト部１２内のラインスイッチ１３及びパススイッチ１４における処理は、同一経路ＲＰＲのＩＰパケットをＳＴＳ−１、ＳＴＳ−３ｃ、ＳＴＳ−１２ｃ、ＳＴＳ−４８ｃ等の特定のＳＯＮＥＴ／ＳＤＨパスに格納するように、ＩＰパケットをＳＯＮＥＴ／ＳＤＨにマッピングすることで、通常のＳＯＮＥＴ／ＳＤＨのクロスコネクトと全く同じ処理でスイッチング及びリング切り替えを含む網管理ができる。
【００２４】
ＲＰＲパス処理部１６内のＰＯＳ．ＩＮＦ（Ｐａｃｋｅｔ  Ｏｖｅｒ  ＳＯＮＥＴ  Ｉｎｔｅｒｆａｃｅ）１７ではＳＯＮＥＴ／ＳＤＨクロスコネクト部１２から供給されるＳＯＮＥＴ／ＳＤＨのフレームを外して、一旦、ＲＰＲパケットを剥き出して取り出す。その上で、ＲＰＲヘッダを認識することにより、ＲＰＲパケット（ＲＰＲヘッダ＋ＩＰパケット）を伝送装置から送り出すパスを決定してＲＰＲスイッチ部１８でルーティングを行い、再びＰＯＳ．ＩＮＦ１７でＳＯＮＥＴ／ＳＤＨにマッピングして、ＳＯＮＥＴ／ＳＤＨクロスコネクト部１２から所望のパスへ送信する。
【００２５】
図１０に、ＲＰＲパケットのフォーマットを示す。ＲＰＲパケットには、ＩＰパケットの先頭を表すＴＴＬと、パケットの種類を表すＴｙｐｅ、インナーまたはアウターを識別するリング識別子（ＲＩ）、ＰＲＩ、優先度を表すＰＲＩ、プロファイルの内か外かを表すＩＰＯからなるＲＰＲヘッダが設けられている。なお、括弧内の数字はビット数を示す。
【００２６】
また、ＲＰＲスイッチ部１８にはＬＡＮカード１９１〜１９ｎが接続され、ＬＡＮカード１９１〜１９ｎそれぞれはギガビットイーサ等のＬＡＮに接続されている。インタフェース部１０Ｗ，１０Ｅで受信され、ＲＰＲスイッチ部１８でルーティングされてＬＡＮカード１９１〜１９ｎに供給されるＲＰＲパケットはＬＡＮに送出されドロップされる。また、ＬＡＮからＬＡＮカード１９１〜１９ｎで受信されたＲＰＲパケットはＲＰＲスイッチ部１８でＳＯＮＥＴ／ＳＤＨクロスコネクト部１２にルーティングされることでＳＯＮＥＴ／ＳＤＨにアッドされる。
【００２７】
ＲＰＲパス処理部１６でＲＰＲヘッダを認識する際に、ＩＰパスにおける回線の障害情報も識別して適当な迂回処置を施す。また、自伝送装置で回線障害情報を検知したならば、その情報をＲＰＲのヘッダに付加し他伝送装置が障害パスを迂回する処理が施せるようにする。このようにして、ルータ・ルータ間だけなく、ＲＰＲを認識している途中の伝送装置も回線情報を統一的に扱い、網全体の一元的管理が可能となる。
【００２８】
なお、インタフェース部１０Ｗ，１０ＥをＷＤＭ装置の多重分離部に接続することで、図２に示す装置でＷＤＭ装置の一部に適用することも可能である。
【００２９】
図４は、本発明のハイブリッド伝送装置が適用される大規模網の一実施例の構成図を示す。同図中、ＮＥ（Ｎｅｔｗｏｒｋ  Ｅｌｅｍｅｎｔ）１０１〜１０４，１０５〜１０８それぞれはＷＤＭリングを構成し、ＮＥ１０３とＮＥ１０５は長距離光伝送路で接続されている。
【００３０】
ＮＥ１０４にはＳＯＮＥＴ／ＳＤＨリングを構成するＮＥ１１０，１１１が接続されている。ＮＥ１１２はＳＯＮＥＴ／ＳＤＨリングを構成すると共にＲＰＲリングを構成している。同様に、ＮＥ１１３はＳＯＮＥＴ／ＳＤＨリングを構成すると共に、ルータ１１３〜１１５と共にＲＰＲリングを構成している。また、ＮＥ１０８はＷＤＭリングを構成すると共に、ルータ１１６，１１７と共にＲＰＲリングを構成している。上記のＮＥ１１２として本発明の伝送装置が適用され、ＮＥ１０８の一部として本発明の伝送装置が適用されている。
【００３１】
なお、ＮＥ１１０，１１１等は従来のＳＯＮＥＴ／ＳＤＨ伝送装置で構成することができるものの、本発明の伝送装置を適用することも可能である。
【００３２】
図５は、本発明のハイブリッド伝送装置の第２実施例のブロック構成図を示す。ここでは、特に、高速のリングから低速の信号を取り出すドロップ側について詳細に記載した。図５では、信号の送り側である上流のＮＥ（Ｎｅｔｗｏｒｋ  Ｅｌｅｍｅｎｔ）から供給される信号に信号断から信号品質の劣化までを含む回線障害が起きた場合、信号の受け側である下流のＮＥ内で、どのような処理をすれば、効果的に所望のパスのプロテクション（保護）を実行できるか、太線の矢印で示す信号の流れに沿って、検出ポイント、処理のポイント等を示している。
【００３３】
また、併せて、上流で起きた回線断や信号同期外れ等の深刻な障害が起きたとき、下流にいかに素早く知らせるか、また、下流に送った信号に信号断から信号品質の劣化までを含む障害が起きた場合、その障害を受信または検知したＮＥが、信号の送り主である上流に、如何に素早く伝え、可能な限り自動的に障害を回避するような制御を実行するかという仕組みを示している。
【００３４】
この装置は、ＳＯＮＥＴ／ＳＤＨのレイヤから見れば上位レイヤのヴァーチャルパスであるＲＰＲパスとＳＯＮＥＴ／ＳＤＨレイヤの網管理を統一的にできるＲＰＲ機能付きのアッド／ドロップ、多重化、クロスコネクトを行うＳＯＮＥＴ／ＳＤＨ伝送装置と言え、従来のようにＲＰＲに過度の負担をかけるものではなく、役割と処理の優先順位を分けることにより、低負荷で高速処理を可能としている。
【００３５】
そのポイントの一つは、ＳＯＮＥＴ／ＳＤＨレベルのクロスコネクト部分で、１＋１，１：Ｎ，ＢＬＳＲ（Ｂｉｄｉｒｅｃｔｉｏｎａｌ  Ｌｉｎｅ  Ｓｗｉｔｃｈｅｄ  Ｒｉｎｇ等を含むライン冗長や、ＵＰＳＲ（Ｕｎｉｄｉｒｅｃｔｉｏｎａｌ  Ｐａｔｈ  Ｓｗｉｔｃｈｅｄ  Ｒｉｎｇ）等のリングプロテクションを含むＳＯＮＥＴ／ＳＤＨレベルのパス冗長を行い、しかる後に、ＲＰＲレベルのパケットスイッチや、パス切り替えを行う。それぞれのレイヤのライン切り替え、パス切り替えは独立した検出器で独立した切り替え要因を検出して行うが、ラインはパスの下位レイヤ、ＳＯＮＥＴ／ＳＤＨパスはＲＰＲパスの下位レイヤとして、下位レイヤの切り替え処理を優先とする。
【００３６】
下位のレイヤの切り替えは、切り替え要因が起こったとき直ちに行うが、上位のレイヤは、継続的にそのレイヤの切り替え要因が続いていた場合に切り替えを行う。これは、下位のレイヤで検出された障害により太い回線ごと切り替わってしまうと、上位レイヤの比較的細い回線も一緒に切り替わってしまい、そのとき、上位レイヤの切り替え要因も一緒に解除してしまうことが往々にしてあるからである。このようにすることにより、上位レイヤのパス切り替えの負荷は軽くなる。下位レイヤの冗長によって、救済できなかった場合に上位レイヤのパススイッチが働くようにする。
【００３７】
例えば、上位レイヤの切り替え要因発生と同時にタイマカウントを開始し、設定された時間後にまだ切り替え要因発生状態だった場合にパス切り替えを行う。その設定時間は、例えば、０秒から１０秒くらいの間で、１００ｍｓｅｃや５０ｍｓｅｃ等の単位で設定できるようにする。
【００３８】
下位レイヤのライン切り替えでは、ライン切り替えの要因の検出ポイントを、全てＳＯＮＥＴ／ＳＤＨクロスコネクト部４０に置くと、クロスコネクト部の負荷が重くなるので、伝送装置のインタフェース部２０Ｗ，２０Ｅに、回線障害や通信品質劣化の検出ポイントを設ける。このインタフェース部２０Ｗ，２０Ｅは、当該伝送装置が１＋１のライン冗長、１：Ｎのライン冗長、ＵＰＳＲ、２ファイバＢＬＳＲ、４ファイバＢＬＳＲ、複数リング構成等のそれぞれに応じた仕組みを持っていれば対応できる。インタフェース部２０Ｗ，２０Ｅで検出した切り替えトリガは、レベルに応じて制御部６０が一括して収集し、それを基にＳＯＮＥＴ／ＳＤＨクロスコネクト部４０のラインスイッチ部を制御する。
【００３９】
図５において、伝送装置は、外線と接続して信号のやりとりを行うインタフェース部２０Ｗ，２０Ｅ，３０と、ＳＯＮＥＴ／ＳＤＨレベルのＳＯＮＥＴ／ＳＤＨクロスコネクト部４０と、ＲＰＲレベルでパスを処理するＲＰＲパス処理部５０と、装置全体の制御部６０からなる。
【００４０】
４０Ｇｂｐｓ，１０Ｇｂｐｓ，２．５Ｇｂｐｓ，６２２Ｍｂｐｓ（＝ＯＣ７６８，ＯＣ１９２，ＯＣ４８，ＯＣ１２）といったＳＯＮＥＴ／ＳＤＨの光信号はアグリゲート側のインタフェース部２０Ｗ，２０Ｅに供給され、それぞれのＯ／Ｅ変換部２１で電気信号に変換され、クロック乗換部２２で装置内の基準クロックに同期させたうえで、ＳＯＮＥＴ／ＳＤＨのＳＴＳ−４８（ＳＴＭ１６）やＳＴＳ−１２（ＳＴＭ４）等に準拠した電気信号としてＳＯＮＥＴ／ＳＤＨクロスコネクト部４０に供給する。
【００４１】
クロック乗換部２２は、外線から受信した信号を装置内で同期が取れているクロックに乗せ換える。インタフェース部２０Ｗ，２０Ｅは、装置内に数多く設けられ単一のリングだけでなく、複数のリングやネットワークと結びついているので、リング毎や局所的ネットワーク毎に網の同期基準クロックが異なることがある。従って、各インタフェース部の外側では互いに同期がとれてないことが多い。従って、クロック乗換部２２は全インタフェース部２０Ｗ，２０Ｅに持たせておく。また、クロック乗換部２２は、異なる局所ネットワーク間のクロックの違いに耐え得る機能を提供するだけでなく、ネットワークにつきもののジッタやワンダを吸収し、信号速度の揺らぎを解消する効果もある。
【００４２】
また、クロック乗換部２２の前後でＳＯＨを付け替えて、外線のＳＯＨを一旦終端し装置内の信号フォーマットに変更することができる。このとき、当然ポインタも付けかえるので、外線の信号のＬＯＰ−ＰやＡＩＳ−Ｐを検出することができ、ＬＯＰ−Ｐを検出したら装置内への送り側のポインタは、ＡＩＳ−Ｐとしてやる。
【００４３】
また、Ｏ／Ｅ変換部２１の出力信号はアラーム検出部２３に供給される。アラーム検出部２３では、ＬＯＳ（Ｌｏｓｓ  Ｏｆ  Ｓｉｇｎａｌ），ＬＯＦ（Ｌｏｓｓ  Ｏｆ  Ｆｒａｍｅ），ＡＩＳ−Ｌ（Ａｌａｒｍ  Ｉｎｄｉｃａｔｉｏｎ  Ｓｉｇｎａｌ−Ｌｉｎｅ）等の各ラインアラーム、及びＢ２バイトエラーの検出を行うと共に、検出結果ＳＦ，ＳＤを制御部６０に通知する。ＳＦはＬＯＳ，ＬＯＦ等のメジャーアラームのとき発せられ、ＳＤはＢ２バイトエラー等のマイナーエラーのとき発せられる。また、上流のラインの送り側に送出する信号にＲＤＩ（Ｒｅｍｏｔｅ  Ｄｅｆｅｃｔ  Ｉｎｄｉｃａｔｅ）を付加するため信号送信部２４に通知する。なお、信号送信部２４にはセレクタ２５から送出する信号が供給され、信号送信部２４の出力する信号はＥ／Ｏ変換部２１で光信号に変換されて出力される。
【００４４】
更に、インタフェース部２０Ｗ，２０Ｅは、外線がＯＣ−４８とかＯＣ−１９２であり、装置内がＳＴＳ−１２，ＳＴＳ−２４，ＳＴＳ−４８の場合は、多重分離機能を持ち、外線がＯＣ−３の４チャネルのインタフェースを持っている場合は、ＳＴＳ−１２等への多重機能を持つ。送信方向のセレクタ２５は、ＳＯＮＥＴ／ＳＤＨクロスコネクト部４０のカード冗長に対応するために設けられている。なお、外線の受信信号をＳＯＮＥＴ／ＳＤＨクロスコネクト部４０におくる際は、ＳＯＮＥＴ／ＳＤＨクロスコネクト部４０で後述するカード冗長を行う場合には、同じ信号を分岐して両ＳＯＮＥＴ／ＳＤＨクロスコネクト部４０に送る必要がある。
【００４５】
ＳＯＮＥＴ／ＳＤＨクロスコネクト部４０では、クロック乗換部２２から供給される信号はアラーム検出部４１及びアラーム付加部４２に供給される。アラーム検出部４１はＬＯＳ，ＬＯＦ等のラインアラームを検出するとアラーム付加部４２に通知し、アラーム付加部４２はラインアラーム検出時にＳＯＮＥＴ／ＳＤＨパケットにＡＩＳ−Ｐ（Ｐａｔｈ）を付加してラインスイッチ４３に供給する。
【００４６】
ラインスイッチ４３は制御部６０の制御によりＢＬＳＲを含むライン切り替えを行う。ラインスイッチ４３の出力信号はアラーム検出付加部４４でＬＯＰ−Ｐ（Ｌｏｓｓ  Ｏｆ  Ｐｏｉｎｔｅｒ−Ｐａｔｈ），ＡＩＳ−Ｐ，ＴＩＭ−Ｐ，ＰＬＭ−Ｐ，ＵＮＥＱ−Ｐ，ＴＩＭ−Ｐ，ＰＬＭ−Ｐ等のパスアラームを受信または検出するとＡＩＳ−Ｐを付加してＴＳＩ（ＴｉｍｅＳｌｏｔ  Ｉｎｔｅｒｃｈａｎｇｅｒ）付きのパススイッチ（ＰＳＷ＿ＴＳＩ）４５に供給する。また、パスアラームを受信または検出するとパススイッチ４５から供給される信号にＲＤＩ−Ｐを付加しラインスイッチ４３を通してインタフェース部に供給する。パススイッチ４５はＳＯＮＥＴ／ＳＤＨパケットのヘッダに基づいてルーティングを行う。
【００４７】
インタフェース部２０Ｗ，２０Ｅ，３０とＳＯＮＥＴ／ＳＤＨクロスコネクト部４０とは、ＳＴＳ−３やＳＴＳ−１２やＳＴＳ−４８（或いはＳＴＳ−２４）といった共通のフォーマットの信号で結ばれ、インタフェースカードが挿入されるスロット（インタフェーススロット）に固有のポートを複数系統分割り当てＳＯＮＥＴ／ＳＤＨクロスコネクト部４０側で異なるスロットのポートを区別して識別することでインタフェースカードの外線側の信号速度には制約を受けない。
【００４８】
このため、インタフェース部２０Ｗ，２０Ｅ，３０には、ＯＣ（Ｏｐｔｉｃａｌ  Ｃａｒｒｉｅｒ）−１９２，ＯＣ−４８，ＯＣ−１２，ＯＣ−３等のＳＯＮＥＴ／ＳＤＨインタフェース（インタフェース部２０Ｗ，２０Ｅ）から、ＤＳ３等のＰＤＨ（Ｐｌｅｓｉｏｃｈｒｏｎｏｕｓ  Ｄｉｇｉｔａｌ  Ｈｉｅｒａｒｃｈｙ）やその他のＬＡＮやＡＴＭに対応した外線インタフェース（インタフェース部３０）に至るまでユニバーサルな外線インタフェースを提供することができる。
【００４９】
例えば、インタフェース部２０Ｗ，２０Ｅの基本最小スロットにＳＴＳ−１２の信号を４系統接続させ、そのスロットでＯＣ−４８の１チャネルのカードをサポートできるし、ＯＣ−１２の４チャネルのカードをサポートできるし、ＯＣ−３やＤＳ３等ならば、実装上許される限り多数のＣＨ（ＯＣ−３なら１２チャネル、ＤＳ３やＥＣ１なら最大４８チャネル）をサポートできる。
【００５０】
最小スロットでは上記のポート数しか無くても、４倍分のスロットを用いれば、ＯＣ−１９２の１チャネルをサポートできる。同最小スロットに、同じ４系統装置内接続でも、１系統当りＳＴＳ−２４（１．２Ｇｂｐｓ相当）まで信号速度を上げてインタフェースすることができれば、倍の実装密度のＣＨをサポートできる。即ち、ＯＣ−４８なら２チャネル、ＯＣ−１９２でも先程の半分の２スロット分までサポートできる。１系統当りをＳＴＳ−４８まで上げれば、その更に倍の実装密度が可能になる。
【００５１】
また、ＬＶＤＳ（Ｌｏｗ  Ｖｏｌｔａｇｅ  Ｄｉｆｆｅｒｅｎｔｉａｌ  Ｓｉｇｎａｌｉｎｇ）等の伝送技術を用いれば、シリアルの信号速度で１系統当り３．６Ｇｂｐｓくらいまでの装置内インタフェース（バックボードインタフェース）を上げることは容易である。従って、ＯＣ−７６８（＝４０Ｇｂｐｓ）のインタフェースカードも同様に高密度に実装してサポートすることも可能である。将来的には、５Ｇｂｐｓや１０Ｇｂｐｓ超の装置内伝送も可能となるので、より一層高密度なコンパクトで低コストの伝送装置が実現可能となる。
【００５２】
図５では、高速側のアグリゲート側インタフェース部２０Ｗ，２０Ｅと、低速側のトリビュータリ側インタフェース部３０に分けている。これは、そのときのネットワークの構成で、どのくらいの信号速度を高速側に伝送装置の外線を接続させているか（例えば、ＯＣ−１９２、ＯＣ−４８、ＯＣ−７６８等）、ドロップ側、或いは、下流のリングである低速側がどのくらいの信号速度なのか（ＯＣ−４８、ＯＣ−１２、ＯＣ−３、ＥＣ−１やＰＤＨ等）によって、伝送装置内で自由にクロスコネクトして、信号系を設定してやれば良い。高速側の外線は、ＳＯＮＥＴの例を挙げたが、ＳＴＭ−６４，ＳＴＭ−１６，ＳＴＭ−４，ＳＴＭ−１，ＳＴＭ−０，ＳＴＭ−２５６といったＳＤＨの信号も同様にサポートすることが可能ある。
【００５３】
ＳＯＮＥＴ／ＳＤＨクロスコネクト部４０のクロスコネクト単位も、ＳＴＳ−１，ＳＴＳ−３ｃ，ＳＴＳ−１２ｃ，ＳＴＳ−４８ｃと様々なパスの単位で行わせることができる。近年、ＬＡＮの１０Ｇビットイーサーネットも仕様が固まりつつあるので、１０Ｇｂｐｓ単位の信号、即ち、ＳＴＳ−１９２ｃ単位のクロスコネクトをサポートすることも有用である。なお、ＳＤＨの用語でＶＣ−４，ＶＣ−４−４，ＶＣ−４−１６，ＶＣ−４−６４単位や、ＡＵ３レベルのクロスコネクトが可能と言える。
【００５４】
前述の装置内信号速度が１系統当りＳＴＳ−１２やＳＴＳ−２４や最大でＳＴＳ−４８だけしか無くとも、ＳＴＳ−４８ｃやＳＴＳ−１９２ｃのひとまとまりの信号を内部に持つＯＣ−４８やＯＣ−１９２（やＯＣ−７６８）の外線インタフェースをインタフェース部２０Ｗ，２０Ｅが持つことは可能である。これらのインタフェースカードに対応すべく、もともと４系統以上のポートを各スロットに用意してあるので、インタフェース部２０Ｗ，２０Ｅ内の装置内信号に変換するための多重分離部で、ＳＴＳ−４８ｃ以上の大きな信号の固まりでも、素直にシリアル／パラレル変換して、系統毎に信号を分岐し、ＳＯＮＥＴ／ＳＤＨクロスコネクト部４０で再び、パラレル／シリアル変換して元の信号に戻してやれば良い。
【００５５】
インタフェース部２０Ｗ，２０Ｅがインタフェースしている信号の中身が、ＳＴＳ−１２ｃ以下といった、各１系統の信号速度以下の固まりの信号が、ＯＣ−ｎに多重化されてインタフェースしている場合は、各系統のポートと多重化された信号の位置とを合理的に対応付けさせておけば、インタフェース部内で外線信号を装置内信号に変換させるところで、各系統のポートに対応した信号を正しく振り分ければ良い。そうすることによって、ＳＯＮＥＴ／ＳＤＨクロスコネクト部４０での処理が簡略化されて、クロスコネクトを実現するハードウエア処理を簡単にすることができる。
【００５６】
インタフェース部３０が、ＯＣ−１２やＯＣ−３以下やＰＤＨの信号をインタフェースするとして、外線の総容量が装置内信号の１スロット当りの総容量に満たないときは、空いた装置内信号ポートはユニークパターン信号が流れるようにしておき、クロスコネクトを設定するときに、ユニークパターン信号が存在しないパスはクロスコネクトを実行できないように、ソフト的に制限をかける。
【００５７】
また、逆に、信号速度が低速の場合、即ち、ＶＴ１．５や、ＴＵ３、ＴＵ−１２，ＴＵ−１１の単位でクロスコネクトが出来ても、きめ細かなパスを扱える。そのためには、後述の図９に示すようなローオーダーのクロスコネクト部を追加すれば良い。
【００５８】
図５に示す本発明伝送装置は、図６に示すようなＵＰＳＲを構成するＮＥであっても構わず、または、図７のような４ファイバＢＬＳＲを構成するＮＥであっても構わない。また、図８に示すようなメッシュネットワークを構成するＮＥであっても、ＡＩＳやＲＤＩの仕組みや、各伝送装置から情報を収集したり制御したりすることが可能なＮＭＳ（Ｎｅｔｗｏｒｋ  Ｍａｎａｇｅｍｅｎｔ  Ｓｙｓｔｅｍ）を持っていれば、同様に処理が可能である。
【００５９】
図５において、太線で示した主にドロップ側の代表的な主信号の流れに沿って、回線障害回避等の仕組みをアラームやエラー検出項目の具体例も挙げて説明を行う。アグリゲート側インタフェース部２０Ｅが、Ｅａｓｔ（右回り）の光信号を送受信し、アグリゲート側インタフェース部２０ＷがＷｅｓｔ（左回り）の光信号を送受信している。ちなみに、４Ｆ（ファイバ）ＢＬＳＲのときは、インタフェースカードの別のチャネルなり、別のインタフェースカードで、もう１本の系統を受信及び送信している。その際は、左右のアグリゲート側インタフェース部は、Ｅａｓｔを現用回線、Ｗｅｓｔを予備回線としたとき、現用回り方向の回線中のスパンスイッチ用のＷ側とＰ側を受けており、リングの反対回りの予備回線のインタフェース部は裏に隠れている。また、メッシュネットワークの１ノードであったら、接続されている複数のノードと他のノードとも別のインタフェース部が接続しており、デュアル以上の複数リングと接続しているのなら、それだけのインタフェース部を別に持っている。
【００６０】
ＳＯＮＥＴ／ＳＤＨのＳＯＮＥＴ／ＳＤＨクロスコネクト部４０が２枚のカードが重ねて図示しているのは、２枚に同じ動きをさせておき、どちらかのカードが壊れても、信号が落ちないようにするカード冗長を取るためである。このようなカード冗長の仕組みがあると、装置としての故障率が劇的に上がり、装置の信頼性が増す。
【００６１】
ＳＯＮＥＴ／ＳＤＨクロスコネクト部４０からインタフェース部２０Ｗ，２０Ｅに送る信号が２本描かれていて、インタフェース部２０Ｗ，２０Ｅ内でセレクタ２５を設けているのは、そのクロスコネクトカード冗長の仕組みを示している。インタフェース部２０Ｗ，２０Ｅでより品質の良い方を選ぶことにより、自動的なカード冗長が実現できる。ＲＰＲパス処理部５０も２枚のカードが重ねて図示しているのは、そのようなカード冗長を本部分に適用すると信頼性が増すということを示している。但し、ＳＯＮＥＴ／ＳＤＨのＳＯＮＥＴ／ＳＤＨクロスコネクト部４０とＲＰＲパス処理部５０とで信号をやり取りしている部分には、カード冗長用の信号は煩雑になるため表記していない。
【００６２】
ＲＰＲパス処理部５０にカード冗長を持たせたいときは、インタフェース部２０Ｗ，２０Ｅの１：Ｎのカード冗長の考え方を用いる。これは、結局、ＳＯＮＥＴ／ＳＤＨクロスコネクト部４０の空きポートにカード冗長のＲＰＲパス処理部５０を接続させておき、カードフェイルのトリガがかかったら、別のポートで接続していた同じ信号の処理に現用信号を切り換えて用いれば良い。
【００６３】
ＳＯＮＥＴ／ＳＤＨのライン切り替え及びパス切り替えとＲＰＲパス切り替えの連携を、図５の伝送装置内の太線で表記した信号の流れを例にとって以下に説明する。ここでは、説明の簡単のために、ＵＰＳＲか、または、１＋１ライン冗長をしており、上流から来たアグリゲート側の信号をトリビュータリ側に繋がる下流に信号をドロップしているケースを考える。
【００６４】
ＳＯＮＥＴ／ＳＤＨレイヤでのラインや、ＵＰＳＲされているパスに対し、ＲＰＲレベルのヴァーチャル・パス（仮想パス）も、このパスと一致している場合がある。この場合、ＳＯＮＥＴ／ＳＤＨレイヤのライン切り替えやＵＰＳＲパス切り替えによって回線障害を一括して回避すれば、ＲＰＲの仮想パスも回線障害が自動的に救済されることになる。こういう仕組みによって、ＲＰＲパスの切り替えにかかる負担は軽減されていく。
【００６５】
しかし、ＳＯＮＥＴ／ＳＤＨのレイヤのパスとＲＰＲの仮想パスは、必ずしも一致するわけではない。ＲＰＲの仮想パスでは、ＳＯＮＥＴ／ＳＤＨリング内に、メッシュを張ることも可能であるし、ＳＯＮＥＴ／ＳＤＨリングにアッドされてくるＲＰＲパスがあった場合、ＲＰＲのレイヤでは、もっと上流にまで遡って仮想パスを考えなければならない場合があるからである。
【００６６】
従って、ＲＰＲの仮想パスの網管理をしたい場合、図５のようなＲＰＲパス処理部５０が必要となる。ＳＯＮＥＴ／ＳＤＨ内を流れる全トラフィックがＩＰとは限らないが、ＳＯＮＥＴ／ＳＤＨパスのうちＲＰＲを上位レイヤに含むものをＳＯＮＥＴ／ＳＤＨクロスコネクト処理部４０からＲＰＲパス処理部５０にドロップする。このとき、ＲＰＲを上位レイヤに含む全ＳＯＮＥＴ／ＳＤＨパスをドロップする必要は必ずしもない。ＲＰＲパスとＳＯＮＥＴ／ＳＤＨパスが完全に一致している分については下位レイヤのパス制御だけでことが足り、ＲＰＲパス処理部５０の負担は軽くなる。このためにＲＰＲパスをＳＯＮＥＴ／ＳＤＨにアッドするときの工夫については後述する。
【００６７】
ＲＰＲパス処理部５０は、ＲＰＲパケットとＳＯＮＥＴ／ＳＤＨパケットの相互変換を行うＰＯＳ．ＩＮＦ（Ｐａｃｋｅｔ  Ｏｖｅｒ  ＳＯＮＥＴ  Ｉｎｔｅｒｆａｃｅ）５１と、ＲＰＲヘッダ（制御ラベル）を認識してスイッチング制御を行う制御ラベル処理部５２と、ＲＰＲヘッダに基づきＲＰＲパケットのルーティングを行うルーティングスイッチ（ＲＰＲ＿ＳＷ）５３と、ＲＰＲパケットをドロップするためのパケットパススイッチ（ＲＰＲ＿ＰＳＷ）５４と、ルーティングするためのルーティング・テーブル等が格納されているデータベース５５と、ＲＰＲパケットの流量を監視し調整する流量監視調整部５６から構成されている。
【００６８】
ＲＰＲパス処理部５０はＳＯＮＥＴ／ＳＤＨパケットから抽出したＲＰＲパケットをＲＰＲヘッダに基づきルーティングし、ルーティング後にＳＯＮＥＴ／ＳＤＨパケットにマッピングして該当するＳＯＮＥＴ／ＳＤＨパスのポートに出力しＳＯＮＥＴ／ＳＤＨクロスコネクト部４０に戻す機能を持つ。
【００６９】
ＳＯＮＥＴ／ＳＤＨクロスコネクト部４０は、ＲＰＲパス処理部５０から戻ってきた信号を所望のＳＯＮＥＴ／ＳＤＨパスに該当するインタフェース部２０Ｗ，２０Ｅ，３０に向けて再びクロスコネクトして出力する。この出力先のインタフェースは、ＳＯＮＥＴ／ＳＤＨのインタフェース部２０Ｗ，２０Ｅだけに限らず、ＳＯＮＥＴ／ＳＤＨをＰＤＨやＬＡＮやＡＴＭに変換する機能を持つＰＤＨやＬＡＮやＡＴＭ等のインタフェース部３０でも構わない。
【００７０】
ＲＰＲパス処理部５０は、ルーティングを行う以外にパケットパススイッチ５４でＲＰＲパケットのドロップを行う。このドロップは後述の図９におけるＡＴＭスイッチ部１４２が実行する。データベース５５にはルーティングするためのルーティング・テーブル等が格納されているが、ネットワークトポロジに関するデータベースは、図示しないネットワークマネジメントシステムに持つ構成であっても良い。
【００７１】
流量監視調整部５６は、ＲＰＲパケットの流量監視及び調整を行う。ルーティングスイッチ５３のスイッチ容量や能力が、ＳＯＮＥＴ／ＳＤＨクロスコネクト部４０からＲＰＲパス処理部５０に供給される際の最大ポート数をまかなうだけの能力を有しているならば、このような流量監視及び調整機能は不要であるが、ルーティングスイッチ５３のコストを下げるために、ＲＰＲの統計多重性を考慮して、スイッチ容量や能力を任意の値として設計しておく場合、流量監視調整部５６は流量が許容量を超えたら優先度が低いものから廃棄して、上流側のＳＯＮＥＴ／ＳＤＨクロスコネクト部４０に対し、これ以上パケットを送らないよう制御ヘッダ等を用いて通知する。時間的に流量に揺らぎがあって、一時的に（或いは瞬間的に）許容量を超えるおそれがあるという状況では、ＰＯＳ．ＩＮＦ５１部分にバッファを持たせて、流量を時間平均化し時間的に平滑する。いわゆるシェーピング機能に相当する。これらの機能を持つことにより、ＲＰＲのスイッチ容量を節約して低コスト化を図ることができる。
【００７２】
ＳＯＮＥＴ／ＳＤＨクロスコネクト部４０と、ＲＰＲパス処理部５０間のインタフェースについては、ＳＯＮＥＴ／ＳＤＨクロスコネクト部４０とインタフェース部２０Ｗ，２０Ｅの接続と同様のフォーマットで行う。例えば、装置内接続が、ＳＴＳ−１２の複数系統分ならば、この両者間は、通信容量は、（ＳＴＳ−１２）×（接続ＣＨ数）分になるし、ＳＴＳ−２４やＳＴＳ−４８等を単位に接続されば、その信号速度×接続ＣＨ数分となる。
【００７３】
例えば、インタフェースカードの最小スロットがＳＴＳ−４８で４系統分の接続線を持っているとするなら、インタフェースカードの２スロット分に、ＲＰＲパス処理部５０のカードを１枚させば、４０Ｇｂｓ分のＲＰＲパスの処理容量をカード１枚当りに持たせることができる。ＲＰＲパスの処理容量をもっと上げたければ、単位ＣＨ当りの信号速度を高めたりすれば、更に容量を上げることができる。このように、ＳＯＮＥＴ／ＳＤＨクロスコネクト部４０に対して、物理的な繋がりだけから見れば、インタフェース部２０Ｗ，２０ＥもＲＰＲパス処理部５０も対等と言える。この特徴が、ＲＰＲパス処理部５０を従来のＳＯＮＥＴ／ＳＤＨ装置に追加する場合に、その資産を有効活用できる鍵となる。
【００７４】
ＲＰＲパス処理部５０に限らず、ＶＴ１．５やＴＵ−１２といった低速のきめ細かいクロスコネクト部や、ＡＴＭスイッチ部や、ＬＡＮのスイッチ処理部や、ＶＴ１．５とＴＵ−１２の変換部や、ＡＵ−３とＡＵ−４のＶＣ−３の変換といったＳＯＮＥＴとＳＤＨ間の変換も、同様にインタフェーススロットを用いたインタフェース部３０により実行することができる。
【００７５】
ＳＯＮＥＴ／ＳＤＨクロスコネクト部４０とＲＰＲパス処理部５０のインタフェースのポートの並びについては、ＳＯＮＥＴ／ＳＤＨクロスコネクト部４０からＲＰＲパス処理部５０にクロスコネクトして信号を送り、ルーティング後再びＳＯＮＥＴ／ＳＤＨクロスコネクト部４０を通して、インタフェース部へ送るという信号の流れの仕組みから、ＲＰＲパス処理部５０とＳＯＮＥＴ／ＳＤＨクロスコネクト部４０を結ぶポートに割り当てる信号の並びは、物理的にはどのようにでも配置することができる。
【００７６】
例えばパスを張る順にポート番号の若い順に詰めていけば良いといった処理で十分である。その理由を以下に述べる。まず、ＳＯＮＥＴ／ＳＤＨクロスコネクト部４０からＲＰＲパス処理部５０へ入力する部分は、ＰＯＳ．ＩＮＦ５１に存在しているポート数以上の信号は入力することができないので、物理的なポートとしては固定に入力させれば良い。そうすれば、ＲＰＲパス処理部５０内に余計なセレクタを設けて、ルーティングスイッチ５３の入力ポートに振り分けるといった処理が不要となる。
【００７７】
但し、パスの回線障害回避処理をＲＰＲの仮想パスのレイヤでも独立して行うことを期待しているので、冗長されているパスはそのままＲＰＲパス処理部５０に入力されＲＰＲパス処理部５０で独立した検出条件を元にパス切り替えが行われるので、冗長分の入力ポートは必要である。
【００７８】
そして、ＲＰＲパス処理部５０でのルーティング（かつ、パス冗長のうち品質の良い方を選択）後、所望のＳＯＮＥＴ／ＳＤＨのレイヤにＲＰＲパケットを乗せて出力先を振り替える。ここで、ＲＰＲパス処理部５０から出力された信号は必ずＳＯＮＥＴ／ＳＤＨクロスコネクト部４０へ送られた後、該当する送り先へ繋がるインタフェース部へ信号が送られるので、ＲＰＲパス処理部５０の出力ポートとしては、物理的な信号線は行き先のインタフェース部のことを気にせずルーティング・テーブルの出力ポート番号順に繋がっていれば十分である。伝送装置として、パスのルーティング後の行き先とインタフェースの繋がり先が一致してさえいれば良いので、ＲＰＲパス処理部５０から出力後のＳＯＮＥＴ／ＳＤＨクロスコネクト部４０でのクロスコネクトに両者が連携してクロスコネクトされるようソフト制御すれば良い。従って、伝送装置のマネジメントシステムとしては、ルーティング後のパスの行き先のインタフェース部のチャネルやパスの指定だけをオペレータが設定すれば、ＲＰＲパス処理部５０を通った後のＳＯＮＥＴ／ＳＤＨクロスコネクト部４０でのクロスコネクトを設定する処理は、ソフトが自動的に行うため大変便利であるし、上述した程度の処理なので、煩雑なソフトウエア開発の負担がかかるわけでもない。
【００７９】
次に、図５において、ＳＯＮＥＴ／ＳＤＨパス救済とＲＰＲパス救済の連携の仕組みについて説明する。まず、伝送装置としては、ＳＯＮＥＴ／ＳＤＨレイヤで従来通りの処理を実行しなくてはならない。このため、アラーム検出部２３で上流からのラインにＬＯＳ（信号断）やＬＯＦ（フレーム外れ）を受信したときは、信号送信部２４で下流のラインにＡＩＳ−Ｌを送出する。
【００８０】
上流からのラインに、アラーム検出部４１でＬＯＳ，ＬＯＦ，ＡＩＳ−Ｌ、また、設定によってはＴＩＭ−Ｌ等が検出されたときは、アラーム付加部４２で下流のパスにＡＩＳ−Ｐを送信し、同時に、信号送信部２４で上流のラインの送り側にＲＤＩ−Ｌを送出する。
【００８１】
また、アラーム検出付加部４４で上流からのパスにＬＯＰ−Ｐ，ＡＩＳ−Ｐ，ＵＮＥＱ−Ｐ、また、設定によってはＴＩＭ−Ｐ，ＰＬＭ−Ｐのいずれかを受信したときは、アラーム検出付加部４４で下流のパスにＡＩＳ−Ｐを送信し、上流のパスにはＲＤＩ−Ｐを送り返す。また、アラーム検出付加部４４は、回線の劣化情報（エラーレート）を計る情報元となるＳＯＨのＢ１バイトエラーやＢ２バイトエラーをラインで検出し、受信信号のエラーレートを検知するパフォーマンス・モニタ機能を持ち、Ｂ２バイトエラーを受信した場合は、Ｍ１バイトの所定のビットに検出エラービット数を載せて送信側に対して送り返す。なお、図１１に、ＳＴＭ−１に準拠したＳＯＨの構成図を示す。
【００８２】
また、アラーム検出付加部４４は、受信した信号のパスに何らかのエラー（信号劣化）が生じていないかをＰＯＨ（Ｐａｔｈ  Ｏｖｅｒ  Ｈｅａｄ）のＢ３バイトを検出することによって認識し、また、同時に上流の送信側にＧ１バイトの所定のビットに検出したＢ３のエラーのビット数を送り返す。これによって、上流側の伝送装置では、送信先のパスで何らかのエラーが生じたことを認知できる。
【００８３】
また、インタフェース部３０内にＰＤＨインタフェース部があるときは、ＳＯＮＥＴ／ＳＤＨクロスコクト部４０は高速のパスでのみクロスコネクトし、ＰＤＨインタフェース部で終端するパスはスルーでＰＤＨインタフェース部まで送られていることがあるので、ＰＤＨインタフェースから伝送装置の外側に送り側の方向の信号に関しては、パスを終端する前にパスのアラームを検出してＲＤＩを反対方向に送り返したり、送信側のＰＤＨ信号をＡＩＳに変えたり、パスのエラーを検出して反対方向にＲＥＩを返したりする機能をアラーム検出付加部４４に持たせる。
【００８４】
図６は、ＵＰＳＲ構成のネットワーク構成図を示す。同図中、ＮＥ１２０ｉとＮＥ１２０ｊの間で断線障害が発生した場合、ＮＥ１２０ｉ，１２０ｊはＬＯＳ検出をトリガとしてＡＩＳを送出する。このＡＩＳを受信したＮＥ１２０ｋは、ＳＯＮＥＴ／ＳＤＨレイヤで、図５に示すＳＯＮＥＴ／ＳＤＨクロスコネクト部４０によってライン切り替えを行い、障害回避を実行する。
【００８５】
図７は、４ファイバＢＬＳＲ構成のネットワーク構成図を示す。図７（Ａ）は正常状態を示す。ＮＥ１２１でアッドされたパスは、破線で示す右回りの経路及び左回りの経路でＮＥ１２１ｅに伝送され、ＮＥ１２１ｅのＰＳＷでいずれか一方の経路のパスが選択され、ＮＥ１２１ｅでドロップされる。
【００８６】
図７（Ｂ）はＮＥ１２１ｃ，１２１ｄ間で断線障害が発生した状態を示す。このとき、ＮＥ１２１ｃ，１２１ｄはＬＯＳ検出をトリガとしてＡＩＳを送出する。このＡＩＳを受信したＮＥ１２１ｅは、ＳＯＮＥＴ／ＳＤＨレイヤで、図５に示すＳＯＮＥＴ／ＳＤＨクロスコネクト部４０によってライン切り替えを行い、障害回避を実行する。
【００８７】
図８は、メッシュ構成のネットワーク構成図を示す。同図中、×印位置で障害が発生した場合、ＮＥ１２２ｍは下流側のＮＥ１２２ｎにＡＩＳを送出し、上流側のＮＥ１２２ｏにＲＤＩを送出する。このＲＤＩを受信したＮＥ１２２ｏは、ＳＯＮＥＴ／ＳＤＨレイヤで、図５に示すＳＯＮＥＴ／ＳＤＨクロスコネクト部４０によってライン切り替えを行い、ライン１２３ｐから受信した信号をライン１２３ｑと１２３ｒに振り分け、障害回避を実行する。
【００８８】
図９は、図５におけるアグリゲート側インタフェース部２０Ｗ，２０Ｅとトリビュータリ側インタフェース部３０間の信号の流れを示し、本発明の伝送装置がハイブリッド型の伝送装置であって、ハイオーダークロスコネクトと、ローオーダークロスコネクト、ＡＴＭ、ＰＤＨ、ＬＡＮ、ＳＯＮＥＴ／ＳＤＨ、等にマルチサービスを実現できることを表している。図９において図５と同一部分には同一符号を付し、その説明を省略する。
【００８９】
図９のハイオーダークロスコネクト部１４０と、ローオーダークロスコネクト部１４１と、ＡＴＭスイッチ部（またはＬＡＮプロテクション処理部）１４２は、図５のＳＯＮＥＴ／ＳＤＨクロスコネクト部４０に対応する。また、図９のＰＤＨインタフェース部１５０と、ＬＡＮインタフェース部１５１と、ＰＯＳインタフェース部１５２と、ＡＴＭ／ＬＡＮオーバーＳＯＮＥＴ／ＳＤＨインタフェース部１５３は、図５のトリビュータリ側インタフェース部３０に対応する。
【００９０】
ＰＤＨインタフェース部１５０は、ＲＰＲパケットとＳＯＮＥＴ／ＳＤＨパケットの相互変換を行うＰＯＳ．ＩＮＦと、ＲＰＲパケットのルーティング及びアッド・ドロップを行うＲＰＲ処理部と、ＲＰＲパケットとＰＤＨとのインタフェースをとるＰＤＨ．ＩＮＦを有している。ＬＡＮインタフェース部１５１は、ＲＰＲパケットとＳＯＮＥＴ／ＳＤＨパケットの相互変換を行うＰＯＳ．ＩＮＦと、ＲＰＲパケットのルーティング及びアッド・ドロップを行うＲＰＲ処理部と、ＲＰＲパケットとＬＡＮとのインタフェースをとるＬＡＮ．ＩＮＦを有している。ＡＴＭ／ＬＡＮオーバーＳＯＮＥＴ／ＳＤＨインタフェース部１５３は、ＲＰＲパケットとＳＯＮＥＴ／ＳＤＨパケットの相互変換を行い、ＲＰＲパケットとＡＴＭとのインタフェースをとる。
【００９１】
本発明によれば、従来、別々の管理となっていた、ＳＯＮＥＴ／ＳＤＨ／ＷＤＭレイヤとＴＣＰ／ＩＰレイヤを、同一の装置で処理し、ネットワーク全体を統一的に管理することができる。それにより、ＩＰを伝送する、光網の構成コスト、運用コストが劇的に削減できる。
【００９２】
なお、インタフェース部１０Ｗ，１０Ｅ，２０Ｗ，２０Ｅが請求項記載のアグリゲート側インタフェース手段に対応し、ＳＯＮＥＴ／ＳＤＨ信号が同期デジタル信号に対応し、ＳＯＮＥＴ／ＳＤＨクロスコネクト部１２，４０が同期デジタル信号クロスコネクト手段に対応し、ＡＴＭ信号が非同期デジタル信号に対応し、ＲＰＲパス処理部１６，５０がネットワーク信号処理手段に対応し、ＰＯＳ．ＩＮＦ１７，５１がネットワーク信号抽出手段及びマッピング手段に対応し、ルーティングスイッチ５３がネットワーク信号スイッチング手段に対応し、トリビュータリ側インタフェース部３０がトリビュータリ側インタフェース手段に対応し、ＬＡＮカード１９１〜１９ｎがアッド／ドロップ手段に対応し、流量監視調整部５６が流量監視調整手段に対応する。
【００９３】
（付記１）  光伝送路に接続されたアグリゲート側インタフェース手段と、
前記アグリゲート側インタフェース手段から供給される同期デジタル信号のクロスコネクトを行う同期デジタル信号クロスコネクト手段と、
前記同期デジタル信号クロスコネクト手段から供給される同期デジタル信号をネットワーク信号単位でスイッチングするネットワーク信号処理手段を
有することを特徴とする伝送装置。
【００９４】
（付記２）  付記１記載の伝送装置において、
前記ネットワーク信号処理手段は、前記同期デジタル信号クロスコネクト手段から供給される同期デジタル信号からネットワーク信号を抽出するネットワーク信号抽出手段と、
抽出されたネットワーク信号のスイッチングを行うネットワーク信号スイッチング手段と、
前記ネットワーク信号スイッチング手段でスイッチングされたネットワーク信号を同期デジタル信号にマッピングして前記同期デジタル信号クロスコネクト手段に供給するマッピング手段を
有することを特徴とする伝送装置。
【００９５】
（付記３）  付記１または２記載の伝送装置において、
前記同期デジタル信号クロスコネクト手段と接続されると共に、非同期デジタル信号またはネットワーク信号とのインタフェースをとるトリビュータリ側インタフェース手段を
有することを特徴とする伝送装置。
【００９６】
（付記４）  付記２記載の伝送装置において、
前記ネットワーク信号処理手段は、前記ネットワーク信号スイッチング手段からのネットワーク信号を外部にドロップし、または、外部からのネットワーク信号を前記ネットワーク信号スイッチング手段にアッドするアッド／ドロップ手段を
有することを特徴とする伝送装置。
【００９７】
（付記５）  付記２記載の伝送装置において、
前記ネットワーク信号処理手段は、前記同期デジタル信号クロスコネクト手段から供給される同期デジタル信号の流量を監視し調整する流量監視調整手段を
有することを特徴とする伝送装置。
【００９８】
（付記６）  付記３記載の伝送装置において、
前記トリビュータリ側インタフェース手段は、前記同期デジタル信号クロスコネクト手段から供給される同期デジタル信号から非同期デジタル信号またはネットワーク信号を抽出し、前記非同期デジタル信号またはネットワーク信号を外部にドロップし、または、外部からの非同期デジタル信号またはネットワーク信号をアッドすることを特徴とする伝送装置。
【００９９】
（付記７）  付記１乃至５のいずれか記載の伝送装置において、
前記ネットワーク信号処理手段は、ＲＰＲ（Ｒｅｓｉｌｉｅｎｔ  Ｐａｃｋｅｔ  Ｒｉｎｇ）機能によりＬＡＮにおけるリング切り替えを行うことを特徴とする伝送装置。
【０１００】
（付記８）  付記１乃至７のいずれか記載の伝送装置において、
前記同期デジタル信号は、ＳＯＮＥＴ信号またはＳＤＨ信号であることを特徴とする伝送装置。
【０１０１】
（付記９）  付記１乃至８のいずれか記載の伝送装置において、
前記ネットワーク信号は、ＲＰＲ信号であることを特徴とする伝送装置。
【０１０２】
（付記１０）  付記９記載の伝送装置において、
前記同期デジタル信号クロスコネクト手段とネットワーク信号処理手段との間は、ＲＰＲ信号であることを特徴とする伝送装置。
【０１０３】
【発明の効果】
上述の如く、請求項１に記載の発明によれば、同期デジタル信号クロスコネクト手段によるＳＯＮＥＴ／ＳＤＨレベルのリング切り替えと、ネットワーク信号処理手段でＲＰＲレベルのリング切り替えをそれぞれ独立に行うことができる。
【０１０４】
また、請求項２に記載の発明によれば、ＲＰＲレベルのリング切り替えが可能となる。
【０１０５】
また、請求項３に記載の発明によれば、非同期デジタル信号またはネットワーク信号のアッド／ドロップが可能となる。
【０１０６】
また、請求項４に記載の発明によれば、ネットワーク信号のアッド／ドロップが可能となる。
【０１０７】
また、請求項５に記載の発明によれば、ネットワーク信号スイッチング手段の容量を削減できる。
【図面の簡単な説明】
【図１】従来のＲＰＲ機能を持つ伝送装置の一例のブロック図である。
【図２】本発明のハイブリッド伝送装置の第１実施例のブロック構成図である。
【図３】ＳＴＳ−１２に準拠したＳＯＨの構成及び内容を示す図である。
【図４】本発明のハイブリッド伝送装置が適用される大規模網の一実施例の構成図である。
【図５】ハイブリッド伝送装置の第２実施例のブロック構成図である。
【図６】ＵＰＳＲ構成のネットワーク構成図である。
【図７】４ファイバＢＬＳＲ構成のネットワーク構成図である。
【図８】メッシュ構成のネットワーク構成図である。
【図９】アグリゲート側インタフェース部とトリビュータリ側インタフェース部間の信号の流れを示す図である。
【図１０】ＲＰＲパケットのフォーマットを示す図である。
【図１１】ＳＴＳ−１に準拠したＳＯＨの構成を示す図である。
【符号の説明】
１０Ｗ，１０Ｅ，２０Ｗ，２０Ｅ  アグリゲート側インタフェース部
１２，４０  ＳＯＮＥＴ／ＳＤＨクロスコネクト部
１３  ラインスイッチ
１４  パススイッチ
１６，５０  ＲＰＲパス処理部
１７，５１  ＰＯＳ．ＩＮＦ
１８  ＲＰＲスイッチ部
１９１〜１９ｎ  ＬＡＮカード
２１  Ｏ／Ｅ変換部
２２  クロック乗換部
２３  アラーム検出部
２４  信号送信部
２５  セレクタ
３０  トリビュータリ側インタフェース部
４１  アラーム検出部
４２  アラーム付加部
４３  ラインスイッチ
４４  アラーム検出付加部
４５  パススイッチ
５２  制御ラベル処理部
５３  ルーティングスイッチ
５４  パケットパススイッチ
５５  データベース
５６  流量監視調整部
【図１】
2004236205.tif 000003
【図２】
2004236205.tif 000004
【図３】
2004236205.tif 000005
【図４】
2004236205.tif 000006
【図５】
2004236205.tif 000007
【図６】
2004236205.tif 000008
【図７】
2004236205.tif 000009
【図８】
2004236205.tif 000010
【図９】
2004236205.tif 000011
【図１０】
2004236205.tif 000012
【図１１】
2004236205.tif 000013